(57)【要約】   眼科手術中に液体流動を生じるためのポンプ（１２）、手術用ハンドピース（２０）のコントロールを提供するためのハンドピースインターフェース（１４）、および眼科手術用針（１８）に連結するためのパワーレンチアセンブリ（１６）を含む眼科手術用システム（１０）。パワーレンチアセンブリは、眼科手術用針に与えられるトルクが所望のトルク範囲内になるまで、手術用ハンドピースに関して眼科手術用針を回転させるように構成される。
2012505713.tif 000002
【特許請求の範囲】
【請求項１】
眼科手術中に液体流動を生じるポンプ；
手術用ハンドピースのコントロールを提供するハンドピースインターフェース；および
眼科手術用針に接続するためのパワーレンチアセンブリ；
を含み、
前記パワーレンチアセンブリが、前記眼科手術用針に与えられるトルクが所望のトルク範囲内になるまで、前記手術用ハンドピースに関して前記眼科手術用針を回転させるよう構成される、
ことを特徴とする眼科手術用システム。
【請求項２】
前記パワーレンチアセンブリが、ユーザが前記眼科手術用針および前記手術用ハンドピースの少なくとも１つに前記パワーレンチアセンブリに対してバイアスをかける際に、前記眼科手術用針を自動的に回転させるよう構成されることを特徴とする請求項１記載の眼科手術用システム。
【請求項３】
前記眼科手術用針に与えられるトルクが前記所望のトルク範囲内である場合にユーザに視覚的および／または聴覚的表示を提供するためのインジケータをさらに含むことを特徴とする請求項１記載の眼科手術用システム。
【請求項４】
前記パワーレンチアセンブリが、眼科手術用針を接触するための取外し可能レンチインサートを含むことを特徴とする請求項１記載の眼科手術用システム。
【請求項５】
前記取外し可能レンチインサートがオートクレーブ可能であることを特徴とする請求項４記載の眼科手術用システム。
【請求項６】
取外し可能レンチインサートを観察するためのセンサをさらに含み、該センサからの出力に基づいて、前記眼科手術用システムが、前記取外し可能レンチインサートの交換が必要な時をユーザに表示するよう構成されることを特徴とする請求項１記載の眼科手術用システム。
【請求項７】
前記取外し可能レンチインサートの交換が必要な時をユーザに表示するためのインジケータをさらに含むことを特徴とする請求項１記載の眼科手術用システム。
【請求項８】
眼科手術用システムを介して眼科手術用針を手術用ハンドピース上に固定するための方法であって、前記眼科手術用システムがパワーレンチアセンブリを含み、前記方法が、
前記眼科手術用針および前記手術用ハンドピースの少なくとも１つを検知し；および
前記眼科手術用針に与えられるトルクが所望のトルク範囲内になるまで、前記手術用ハンドピースに関して前記眼科手術用針を自動的に回転させる、
各工程を含むことを特徴とする方法。
【請求項９】
前記眼科手術用システムに含まれる視覚的および／または聴覚的インジケータを介して、前記眼科手術用針に与えられるトルクが前記所望のトルク範囲内になる時をユーザに知らせる工程をさらに含むことを特徴とする請求項８記載の方法。
【請求項１０】
前記取外し可能レンチインサートの交換が必要な時をユーザに知らせる工程をさらに含むことを特徴とする請求項８記載の方法。
【発明の詳細な説明】
【技術分野】
【０００１】
本開示は、外科手術用針を手術用ハンドピース上に固定するためのシステムおよび方法に関する。
【背景技術】
【０００２】
この欄における記述は、本開示に関する背景情報を単に提供するものであり、従来技術を構成するものではない。
【０００３】
眼科手術、特に超音波乳化吸引手術において、眼科手術用針の使用が白内障手術において一般に必要とされる。眼科手術用針は、手術用ハンドピースを介して超音波エネルギーを患者の眼の内部の白内障に伝える。眼科手術用針と手術用ハンドピースとの間を適切に接触し、超音波エネルギーの有効な伝達および眼科手術用針の確実な接続を提供することが所望である。眼科手術用針と手術用ハンドピースとの間の適切な接続は、眼科手術用針を手術用ハンドピース上にねじ込むことにより通常達成される。
【０００４】
現在、ユーザは眼科手術用針を手で手術用ハンドピースにねじ込み、次に各眼科手術用針を提供された使い捨てのレンチを使用して眼科手術用針を固定する。使い捨てのレンチは、１回使用の道具であり、眼科手術用針を手術用ハンドピース上に固定する間にユーザが２本の手を使うことを必要とする。
【発明の概要】
【課題を解決するための手段】
【０００５】
ある態様において、本発明は、眼科手術中に液体流動を生じるポンプ；手術用ハンドピースのコントロールを提供するハンドピースインターフェース；および眼科手術用針に接続するためのパワーレンチアセンブリ；を含み、前記パワーレンチアセンブリが、前記眼科手術用針に与えられるトルクが所望のトルク範囲内になるまで、前記手術用ハンドピースに関して前記眼科手術用針を回転させるよう構成されることを特徴とする眼科手術用システムを提供する。
【０００６】
別の態様において、本発明は、眼科手術用システムを介して眼科手術用針を手術用ハンドピース上に固定するための方法であって、前記眼科手術用システムがパワーレンチアセンブリを含み、前記方法が、前記眼科手術用針および前記手術用ハンドピースの少なくとも１つを検知し；および前記眼科手術用針に与えられるトルクが所望のトルク範囲内になるまで、前記手術用ハンドピースに関して前記眼科手術用針を自動的に回転させる、各工程を含むことを特徴とする方法を提供する。
【０００７】
ここに記載される図面は、単に例図を目的とするものであり、決して本開示の範囲を制限することを意図するものではない。
【図面の簡単な説明】
【０００８】
【図１】本開示によるパワーレンチアセンブリを含む眼科手術用システムの透視図
【図２】本開示による眼科手術用システムと共に使用するためのハンドピースおよび眼科手術用針の一部正面図
【発明を実施するための形態】
【０００９】
以下の記載は、本質的に単なる例示であり、本開示、適用、または使用を制限することを意図するものではない。
【００１０】
本開示のある実施の形態によれば、眼科手術用システム１０が図１に示される。眼科手術用システム１０は、眼科手術中に液体流動を生じるためのポンプ１２および手術用ハンドピースのコントロールを提供するためのハンドピースインターフェース１４を含む。眼科手術用システム１０はまた、少なくとも部分的に手術用ハンドピース上にねじ込まれる眼科手術用針を接続するためのパワーレンチアセンブリ１６を含む。眼科手術用針１８および手術用ハンドピース２０のある例示的な実施の形態が、図２に示される。ここに記載される眼科手術用針および手術用ハンドピースは、超音波乳化吸引手術に通常使用される。
【００１１】
パワーレンチアセンブリ１６は、眼科手術用針に与えられるトルクが所望のトルク範囲内になるまで、手術用ハンドピースに関して眼科手術用針を回転させるように構成される。この態様において、眼科手術用針の固定は自動化され（すなわちユーザによらずに）、それにより所望のトルク範囲の達成および眼科手術用針の接続の強化における潜在的な人為的ミスを減少しそれにより眼科手術用システム１０のチューニング・プロセスを改良する。
【００１２】
眼科手術用針を自動的に固定することによってさらに、手術のために手術用ハンドピースを準備するのに必要な全体の時間が短縮される。したがって、パワーレンチアセンブリ１６はまた、ユーザ、例えば技術者、臨床医、看護婦等、が片手だけで眼科手術用針を手術用ハンドピース上に便利に固定することを可能にする。また、眼科手術用針と共に使用するための追加の道具、例えば使い捨ての道具を排除してもよく、それにより各眼科手術の費用が低減される。
【００１３】
使用において、ユーザは、眼科手術用針を手術用ハンドピース上に部分的にねじ込む。次に、手術用ハンドピースはパワーレンチアセンブリ１６の近くに配置され、眼科手術用針はパワーレンチアセンブリ１６により定められる開口部中に伸長する。この態様において、眼科手術用システム１０は、眼科手術用針の固定中のユーザへの潜在的な刺し傷の危険を排除する。手術用ハンドピースをパワーレンチアセンブリ１６の近くに配置し、ユーザは手術用ハンドピースに圧力をかけ、それによりパワーレンチアセンブリ１６に対して眼科手術用針および／または手術用ハンドピースにバイアスをかける。パワーレンチアセンブリ１６がバイアスを検出すると、パワーレンチアセンブリ１６は、手術用ハンドピースに関して眼科出用針を回転させる。パワーレンチアセンブリ１６は、眼科手術用針を回転させ続け、必要に応じて眼科手術用針に与えられるトルクを増加する。眼科手術用針に与えられるトルクが所望の範囲内である場合、パワーレンチアセンブリ１６は自動的に眼科手術用針の回転を中止する。
【００１４】
所望の範囲は、眼科手術用針、手術用ハンドピース、および眼科手術用システムの１つ以上の製造業者により提供されてもよい。所望のトルク範囲は通常、眼科手術用針とハンドピースとの間の適切な接続を提供するのに十分な任意の範囲である。さらに、所望のトルク範囲は、眼科手術用システム１０へのユーザ−インターフェースを介してユーザにより提供されてもよく、眼科手術用システム１０に予めプログラムされてもよい。
【００１５】
眼科手術用システム１０は、眼科手術用針に与えられるトルクが所望の範囲内であることをユーザに示す視覚的および聴覚的表示を提供するためのインジケータ２２を含む。眼科手術用システム１０中に含まれるインジケータ２２が視覚的および聴覚的である一方で、様々の種類の聴覚および／または視覚インジケータが本開示の他の実施の形態で使用できることが理解されるべきである。この実施の形態において、インジケータ２２は、パワーレンチアセンブリ１６に関するおよび／または他の眼科手術に関する他の情報、例えばポンプ１２に関する流動情報または患者の観察を提供するための、手術用システム内に付属するディスプレイである。さらに別の実施の形態において、インジケータは省略されてもよく、これによりユーザは眼科手術用針の回転を中止するパワーレンチアセンブリにより手術用ハンドピースを取り除くことを促されてもよい。
【００１６】
眼科手術用針に与えられるトルクがインジケータ２２により提供される所望のトルク範囲内である場合、ユーザは、眼科手術で使用するパワーレンチアセンブリ１６から固定された眼科手術用針を有する手術用ハンドピースを取り除いてもよい。
【００１７】
眼科手術の後、眼科手術用針および手術用ハンドピースは、眼科手術用システム１０から取り除かれる。その後の眼科手術のために、別の手術用ハンドピースをハンドピースインターフェース１４を介して眼科手術用システム１０に接続する。眼科手術用針をユーザにより手術用ハンドピース上にねじ込み、固定のためにパワーレンチアセンブリに提示する。手術用ハンドピースをパワーレンチアセンブリ１６の近くに配置する前に、パワーレンチアセンブリ１６に含まれる取外し可能レンチインサート２４を交換する。取外し可能レンチインサート２４は、眼科手術用針に接触するように構成される。パワーレンチアセンブリ１６と眼科手術用針および手術用ハンドピースとの間の接触は通常、取外し可能レンチインサート２４に制限される。取外し可能レンチインサート２４を交換することにより、その後の眼科手術のためにパワーレンチアセンブリと眼科手術用針および手術用ハンドピースとの間の無菌接触が維持される。
【００１８】
いくつかの実施の形態において、取外し可能レンチインサート２４は、消毒、例えばオートクレーブすれば再利用してもよく、またはインサート２４は使い捨てでもよい。
【００１９】
再度図１を参照すると、眼科手術用システム１０はまた、取外し可能レンチインサートが取り外される時を観察するためのセンサ２６を含む。センサ２６からの出力に基づいて、眼科手術用システム１０は、取外し可能レンチインサートの交換が必要な時を示すように構成されてもよい。図１に示される実施の形態において、取外し可能レンチインサートの交換は通常、患者ごとに必要である。取外し可能レンチインサートの交換が必要であることを示すことによって、眼科手術用システム１０は、患者ごとにパワーレンチアセンブリとの滅菌接触を確実にすることをさらに助長するためのユーザへの便利で信頼できるインジケータである。具体的には、本発明者らは、いくつかの実施の形態において、パワーレンチアセンブリおよび取外し可能レンチインサートを観察するセンサを有する眼科手術用システムにより、異なる患者に滅菌していない器具、例えば使い捨ての道具を再利用する可能性が減少し得ることを認識した。
【００２０】
他の実施の形態において、眼科手術用システム１０は、各使用の後に取外し可能レンチインサートの交換が必要であることを示すように構成されてもよい。表示の特定のタイミングは、本開示の異なる実施の形態について異なってもよい。例えば、表示は、ユーザが取外し可能レンチインサート２４を交換せずにパワーレンチアセンブリ１６を介して２つ目の眼科手術用針を固定しようとする際にユーザに提供されてもよい。表示は、インジケータ２２または眼科手術用システム１０に含まれる異なる視覚的および／または聴覚的インジケータを介して表示されてもよい。例えば、パワーレンチアセンブリに近接してＬＥＤが含まれてもよく、ＬＥＤはパワーレンチアセンブリを使用する際にユーザの視野に入る。
【００２１】
本開示のいくつかの態様が超音波乳化吸引器具に関して上記に記載されるが、本開示の様々の態様は超音波乳化吸引器具に限定されるものではなく、様々の他の眼科手術に適用できることが理解されるべきである。
【００２２】
上記の任意のまたは全ての教示を実施することにより、改良された信頼性、減少された動作不能時間、余剰部品またはシステムの排除または減少、部品またはシステムの不必要なまたは時期尚早の交換の回避、および全システムおよび作業のコストの低減を含む、多くの利点および効果が達成できる。
【図１】
2012505713.tif 000003
【図２】
2012505713.tif 000004
【国際調査報告】
2012505713.tif 000005
2012505713.tif 000006